(57)【特許請求の範囲】
【請求項１】
傘を含み、前記傘の下端には取手が固定的に設置され、前記取手の下端面には下方に開口した第一伸縮空間が設置され、前記第一伸縮空間の中には伸縮装置が設置され、前記伸縮装置は傘の高度を調整でき、前記伸縮装置の中には第二伸縮アームが設置され、前記第二伸縮アームの下方には方向調節装置が設置され、前記方向調節装置は前記第二伸縮アームの下端に固定的に設置された半環状歯車を含み、前記第二伸縮アームの下方には上支持ブロックが設置され、前記上支持ブロックの上端面には上方に開口した角度調節空間が設置され、前記角度調節空間の中には上端面が前記半環状歯車と噛み合える歯板が上下にスライド可能に設置され、前記歯板の下端面の左右両側には連結棒が対称に、且つ固定的に設置され、前記連結棒の下端は前記上支持ブロックの下方に延在し、且つ前記連結棒の下端には回転盤が固定的に設置され、前記回転盤の中心部には回転軸が回転可能に設置され、前記回転軸の上端には歯車が固定的に設置され、前記上支持ブロックの下端面には下方に開口した歯溝が形成され、前記歯車は前記歯溝と噛み合うことができ、前記回転軸の下端は前記回転盤の下端面に延在し、且つ前記回転軸の下端には下支持ブロックが固定的に設置され、前記下支持ブロックが前記歯溝に対して下方へスライドする時に、前記半環状歯車は前記歯板との噛合状態から離脱し、前記歯溝は前記歯車との噛合状態から離脱し、それにより、傘の方向を調節でき、前記方向調節装置の下端には把持固定装置が設置され、前記把持固定装置は前記下支持ブロックの下端面に固定的に設置された固定爪を含み、前記固定爪の右側にはスライド爪が左右にスライド可能に設置され、前記スライド爪と前記固定爪とが自転車ハンドルを挟むことで、傘を自転車ハンドルに固定でき、自転車ハンドルを前記固定爪と前記スライド爪との間に置き、回転取手を翻転して回し、それにより、固定ブロックを通じてスクリューを回転連動させ、ネジ山による噛み合いで前記スライド爪は駆動されて左方へスライドし、ハンドルを挟むことを特徴とする自転車用の快速着脱傘。
【請求項２】
前記伸縮装置は前記第一伸縮空間の中に上下にスライド可能に設置された第一伸縮アームを含み、前記第一伸縮アームの中には下方に開口した第二伸縮空間が設置され、前記第二伸縮空間の中には前記第二伸縮アームが上下にスライド可能に設置されていることを特徴とする請求項１に記載の自転車用の快速着脱傘。
【請求項３】
前記第一伸縮アームと前記第二伸縮アームとの右端面上側には左方に開口したロック空間が設置され、前記ロック空間の中にはスライドブロックが左右にスライド可能に設置され、前記スライドブロックの左端面と前記ロック空間の左壁との間には第一ばねが固定的に連結されていることを特徴とする請求項２に記載の自転車用の快速着脱傘。
【請求項４】
前記第一伸縮空間と前記第二伸縮空間との右壁の上下両側には引掛り溝が連通するように形成され、前記第一伸縮アームと前記第二伸縮アームとが上下にスライドする時に、前記スライドブロックの右端は前記引掛り溝の中に伸びて引っ掛ることができることを特徴とする請求項３に記載の自転車用の快速着脱傘。
【請求項５】
前記方向調節装置は前記上支持ブロックの上端面に左右対称に、且つ固定的に設置された連結ブロックを含み、前記第二伸縮アームの下端は前記連結ブロックの間に回転可能に連結されていることを特徴とする請求項１に記載の自転車用の快速着脱傘。
【請求項６】
前記角度調節空間の下壁の左右両側にはばね空間が連通するように設置され、前記連結棒は前記ばね空間を通過して且つ前記連結棒の下端は前記上支持ブロックの下方に延在し、前記歯板の下端面と前記ばね空間の下壁との間には第二ばねが固定的に連結されていることを特徴とする請求項１に記載の自転車用の快速着脱傘。
【請求項７】
前記把持固定装置は前記下支持ブロックの下端面に設置された下方に開口した固定空間を含み、前記固定空間の左右壁の間にはスクリューが回転可能に設置され、前記スクリューの左端は前記下支持ブロックの左側に延在し、且つ前記スクリューの左端には固定ブロックが固定的に設置され、前記固定ブロックの上端面には上方に開口した回転取手空間が設置され、前記回転取手空間の中には回転取手が回転可能に設置されていることを特徴とする請求項３に記載の自転車用の快速着脱傘。
【請求項８】
前記スライド爪の上端は前記固定空間に延在し、且つ前記スクリューにネジ山で連結され、前記スクリューが回転する時に、前記固定爪と前記スライド爪との距離を調節して傘をハンドルに固定することを特徴とする請求項７に記載の自転車用の快速着脱傘。
【請求項９】
前記固定爪と前記スライド爪との対向した側壁には粗面座金が固定的に設置され、前記粗面座金は摩擦を増大できることを特徴とする請求項１に記載の自転車用の快速着脱傘。
【発明の詳細な説明】
【技術分野】
【０００１】
本願発明は傘技術分野を取り上げ、具体的に自転車用の快速着脱傘である。
【背景技術】
【０００２】
現在、シェア自転車は交通手段として多くの人々に汎用され、しかし、雨よけ又は日よけをする時に、片手で傘を持たなければならない。このような時に、いざ突発的な状況に遭うと、ブレーキのかけ遅れで事故になる恐れがあり、命まで脅かし、集団サイクリングにおける重大な安全問題である。同時に、既存する自転車用の傘スタンドは、主に自宅の自転車にしか適用しないのであり、取り付けと取り外しに時間と労力がかかり、携帯にも不便で、シェア自転車に適用されない。本願発明は上記の問題を解決でき、携帯に便利で、且つ随時に着脱可能な装置である。
【先行技術文献】
【特許文献】
【０００３】
【特許文献１】中国特許出願公開第１０８５８３７５２号明細書
【発明の概要】
【発明が解決しようとする課題】
【０００４】
雨よけ又は日よけをする時に、片手で傘を持たなければならなく、このような時に、いざ突発的な状況に遭うと、ブレーキのかけ遅れで事故になる恐れがあり、命まで脅かし、集団サイクリングにおける重大な安全問題であり、同時に、既存する自転車用の傘スタンドは、主に自宅の自転車にしか適用しないのであり、取り付けと取り外しに時間と労力がかかり、携帯にも不便である。
【課題を解決するための手段】
【０００５】
上記の問題を解決するため、本実施例は自転車用の快速着脱傘を提供し、本実施例である自転車用の快速着脱傘は傘を含み、前記傘の下端には取手が固定的に設置され、前記取手の下端面には下方に開口した第一伸縮空間が設置され、前記第一伸縮空間の中には伸縮装置が設置され、前記伸縮装置は傘の高度を調整でき、前記伸縮装置の中には第二伸縮アームが設置され、前記第二伸縮アームの下方には方向調節装置が設置され、前記方向調節装置は前記第二伸縮アームの下端に固定的に設置された半環状歯車を含み、前記第二伸縮アームの下方には上支持ブロックが設置され、前記上支持ブロックの上端面には上方に開口した角度調節空間が設置され、前記角度調節空間の中には上端面が前記半環状歯車と噛み合える歯板が上下にスライド可能に設置され、前記歯板の下端面の左右両側には連結棒が対称に、且つ固定的に設置され、前記連結棒の下端は前記上支持ブロックの下方に延在し、且つ前記連結棒の下端には回転盤が固定的に設置され、前記回転盤の中心部には回転軸が回転可能に設置され、前記回転軸の上端には歯車が固定的に設置され、前記上支持ブロックの下端面には下方に開口した歯溝が形成され、前記歯車は前記歯溝と噛み合うことができ、前記回転軸の下端は前記回転盤の下端面に延在し、且つ前記回転軸の下端には下支持ブロックが固定的に設置され、前記下支持ブロックが前記歯溝に対して下方へスライドする時に、前記半環状歯車は前記歯板との噛合状態から離脱し、前記歯溝は前記歯車との噛合状態から離脱し、それにより、傘の方向を調節でき、前記方向調節装置の下端には把持固定装置が設置され、前記把持固定装置は前記下支持ブロックの下端面に固定的に設置された固定爪を含み、前記固定爪の右側にはスライド爪が左右にスライド可能に設置され、前記スライド爪と前記固定爪とが自転車ハンドルを挟むことで、傘を自転車ハンドルに固定できる。
【０００６】
好ましくは、前記伸縮装置は前記第一伸縮空間の中に上下にスライド可能に設置された第一伸縮アームを含み、前記第一伸縮アームの中には下方に開口した第二伸縮空間が設置され、前記第二伸縮空間の中には前記第二伸縮アームが上下にスライド可能に設置されている。
【０００７】
好ましくは、前記第一伸縮アームと前記第二伸縮アームとの右端面上側には左方に開口したロック空間が設置され、前記ロック空間の中にはスライドブロックが左右にスライド可能に設置され、前記スライドブロックの左端面と前記ロック空間の左壁との間には第一ばねが固定的に連結されている。
【０００８】
好ましくは、前記第一伸縮空間と前記第二伸縮空間との右壁の上下両側には引掛り溝が連通するように形成され、前記第一伸縮アームと前記第二伸縮アームとが上下にスライドする時に、前記スライドブロックの右端は前記引掛り溝の中に伸びて引っ掛ることができる。
【０００９】
好ましくは、前記方向調節装置は前記上支持ブロックの上端面に左右対称に、且つ固定的に設置された連結ブロックを含み、前記第二伸縮アームの下端は前記連結ブロックの間に回転可能に連結されている。
【００１０】
好ましくは、前記角度調節空間の下壁の左右両側にはばね空間が連通するように設置され、前記連結棒は前記ばね空間を通過して且つ前記連結棒の下端は前記上支持ブロックの下方に延在し、前記歯板の下端面と前記ばね空間の下壁との間には第二ばねが固定的に連結されている。
【００１１】
好ましくは、前記把持固定装置は前記下支持ブロックの下端面に設置された下方に開口した固定空間を含み、前記固定空間の左右壁の間にはスクリューが回転可能に設置され、前記スクリューの左端は前記下支持ブロックの左側に延在し、且つ前記スクリューの左端には固定ブロックが固定的に設置され、前記固定ブロックの上端面には上方に開口した回転取手空間が設置され、前記回転取手空間の中には回転取手が回転可能に設置されている。
【００１２】
好ましくは、前記スライド爪の上端は前記固定空間に延在し、且つ前記スクリューにネジ山で連結され、前記スクリューが回転する時に、前記固定爪と前記スライド爪との距離を調節して傘をハンドルに固定する。
【００１３】
好ましくは、前記固定爪と前記スライド爪との対向した側壁には粗面座金が固定的に設置され、前記粗面座金は摩擦を増大できる。
【発明の効果】
【００１４】
本願発明は以下のプラス効果を有する：本願発明は人々が傘を持ちながら自転車に乗る時に、素早く自転車ハンドルに取り付けられる又は取り外されることができ、サイクリングにおける安全問題を減らし、突発的な状況に遭うときに、片手で傘を持つことによるブレーキのかけ遅れを避け、また、既存する自転車用の傘スタンドに比べると、本装置は傘と一体化であり、異なる自転車に適用され、傘の角度と方向を調節するのが便利で簡単であり、体力も時間もかからなく、需要に応じて傘の高度も調節できる。
【図面の簡単な説明】
【００１５】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明である自転車用の快速着脱傘の全体構成略図
【図２】図２は図１におけるＡの拡大略図
【図３】図３は図２におけるＢの拡大略図
【図４】図４は図２におけるＣの拡大略図
【図５】図５は図４におけるＤの拡大略図
【発明を実施するための形態】
【００１７】
本願発明は自転車用の快速着脱傘を取り上げ、主に自転車に乗る時に傘が必要になる時に応用され、以下、図面を合わせて本願発明について詳しく説明する。
【００１８】
本願に記載された自転車用の快速着脱傘は、傘１１を含み、前記傘１１の下端には取手１２が固定的に設置され、前記取手１２の下端面には下方に開口した第一伸縮空間１３が設置され、前記第一伸縮空間１３の中には伸縮装置１０１が設置され、前記伸縮装置１０１は傘の高度を調整でき、前記伸縮装置１０１の中には第二伸縮アーム１６が設置され、前記第二伸縮アーム１６の下方には方向調節装置１０２が設置され、前記方向調節装置１０２は前記第二伸縮アーム１６の下端に固定的に設置された半環状歯車２５を含み、前記第二伸縮アーム１６の下方には上支持ブロック２１が設置され、前記上支持ブロック２１の上端面には上方に開口した角度調節空間２３が設置され、前記角度調節空間２３の中には上端面が前記半環状歯車２４と噛み合える歯板２４が上下にスライド可能に設置され、前記歯板２４の下端面の左右両側には連結棒２７が対称に、且つ固定的に設置され、前記連結棒２７の下端は前記上支持ブロック２１の下方に延在し、且つ前記連結棒２７の下端には回転盤２９が固定的に設置され、前記回転盤２９の中心部には回転軸３０が回転可能に設置され、前記回転軸３０の上端には歯車３１が固定的に設置され、前記上支持ブロック２１の下端面には下方に開口した歯溝３３が形成され、前記歯車３１は前記歯溝３３と噛み合うことができ、前記回転軸３０の下端は前記回転盤２９の下端面に延在し、且つ前記回転軸３０の下端には下支持ブロック３２が固定的に設置され、前記下支持ブロック３２が前記歯溝３３に対して下方へスライドする時に、前記半環状歯車２５は前記歯板２４との噛合状態から離脱し、前記歯溝３３は前記歯車３１との噛合状態から離脱し、それにより、傘の方向を調節でき、前記方向調節装置１０２の下端には把持固定装置１０３が設置され、前記把持固定装置１０３は前記下支持ブロック３２の下端面に固定的に設置された固定爪３９を含み、前記固定爪３９の右側にはスライド爪４０が左右にスライド可能に設置され、前記スライド爪４０と前記固定爪３９とが自転車ハンドルを挟むことで、傘を自転車ハンドルに固定できる。
【００１９】
好ましくは、前記伸縮装置１０１は前記第一伸縮空間１３の中に上下にスライド可能に設置された第一伸縮アーム１４を含み、前記第一伸縮アーム１４の中には下方に開口した第二伸縮空間１５が設置され、前記第二伸縮空間１５の中には前記第二伸縮アーム１６が上下にスライド可能に設置されている。
【００２０】
好ましくは、前記第一伸縮アーム１４と前記第二伸縮アーム１６との右端面上側には左方に開口したロック空間１７が設置され、前記ロック空間１７の中にはスライドブロック１８が左右にスライド可能に設置され、前記スライドブロック１８の左端面と前記ロック空間１７の左壁との間には第一ばね１９が固定的に連結されている。
【００２１】
好ましくは、前記第一伸縮空間１３と前記第二伸縮空間１５との右壁の上下両側には引掛り溝２０が連通するように形成され、前記第一伸縮アーム１４と前記第二伸縮アーム１６とが上下にスライドする時に、前記スライドブロック１８の右端は前記引掛り溝２０の中に伸びて引っ掛ることができる。
【００２２】
好ましくは、前記方向調節装置１０２は前記上支持ブロック２１の上端面に左右対称に、且つ固定的に設置された連結ブロック２２を含み、前記第二伸縮アーム１６の下端は前記連結ブロック２２の間に回転可能に連結されている。
【００２３】
好ましくは、前記角度調節空間２３の下壁の左右両側にはばね空間２６が連通するように設置され、前記連結棒２７は前記ばね空間２６を通過して且つ前記連結棒２７の下端は前記上支持ブロック２１の下方に延在し、前記歯板２４の下端面と前記ばね空間２６の下壁との間には第二ばね２８が固定的に連結されている。
【００２４】
好ましくは、前記把持固定装置１０３は前記下支持ブロック３２の下端面に設置された下方に開口した固定空間３４を含み、前記固定空間３４の左右壁の間にはスクリュー３５が回転可能に設置され、前記スクリュー３５の左端は前記下支持ブロック３２の左側に延在し、且つ前記スクリュー３５の左端には固定ブロック３６が固定的に設置され、前記固定ブロック３６の上端面には上方に開口した回転取手空間３７が設置され、前記回転取手空間３７の中には回転取手３８が回転可能に設置されている。
【００２５】
好ましくは、前記スライド爪４０の上端は前記固定空間３４に延在し、且つ前記スクリュー３５にネジ山で連結され、前記スクリュー３５が回転する時に、前記固定爪３９と前記スライド爪４０との距離を調節して傘をハンドルに固定する。
【００２６】
好ましくは、前記固定爪３９と前記スライド爪４０との対向した側壁には粗面座金４１が固定的に設置され、前記粗面座金４１は摩擦を増大できる。
【００２７】
以下、付図１〜５を合わせ、本願発明の使用手順について詳しく説明する。
【００２８】
はじめに、第一伸縮アーム１４と第二伸縮アーム１６とはそれぞれ第一伸縮空間１３と第二伸縮空間１５との中に収納され、歯板２４は上限界位置にあり、且つ歯板２４の上端面と半環状歯車２５とは噛み合い、歯車３１と歯溝３３とは噛み合い、スライド爪４０は右限界位置にあり、回転取手３８の上端は右側に密着する。
【００２９】
作業時に、自転車ハンドルを固定爪３９とスライド爪４０との間に置き、回転取手３８を翻転して回し、それにより、固定ブロック３６を通じてスクリュー３５を回転連動させ、ネジ山による噛み合いでスライド爪４０は駆動されて左方へスライドし、ハンドルを挟み、取手１２を引き上げ、第一伸縮アーム１４と第二伸縮アーム１６とは取手１２に対して順次に下方へスライドし、スライドブロック１８は上方の引掛り溝２０から離脱し、且つロック空間１７の中に収納され、第一ばね１９は圧縮状態にあり、スライドブロック１８が第一伸縮アーム１４と第二伸縮アーム１６とともに下方の引掛り溝２０の位置までスライドした時に、第二ばね２８の右端は引掛り溝２０の中に入り、且つ固定され、上支持ブロック２１を引き上げ、歯板２４は上支持ブロック２１に対して下方へスライドし、それにより、歯板２４は半環状歯車２５との噛合状態から離脱し、歯車３１は歯溝３３との噛合状態から離脱し、そして第二伸縮アーム１６を回すことで、傘の傾斜角度を調節でき、上支持ブロック２１を回すことで、回転盤２９は駆動されて歯車３１と下支持ブロック３２とに対して回転し、そして傘の方向を調節でき、上支持ブロック２１を放すことで、第二ばね２８によって、歯板２４は半環状歯車２５と噛み合い、そして傘の傾斜角度は固定され、歯溝３３は歯車３１と噛み合い、そして傘の方向は固定され、調節完了後、回転取手３８の上端を右側に密着させることで回転取手３８を収納できる。
【００３０】
本願発明は以下のプラス効果を有する：本願発明は人々が傘を持ちながら自転車に乗る時に、素早く自転車ハンドルに取り付けられる又は取り外されることができ、サイクリングにおける安全問題を減らし、突発的な状況に遭うときに、片手で傘を持つことによるブレーキのかけ遅れを避け、また、既存する自転車用の傘スタンドに比べると、本装置は傘と一体化であり、異なる自転車に適用され、傘の角度と方向を調節するのが便利で簡単であり、体力も時間もかからなく、需要に応じて傘の高度も調節できる。
【００３１】
本発明の各部構成は上記実施の形態に限らず、特許請求の範囲に記載の技術的範囲内で種々の変形が可能である。
【要約】
【課題】本願は自転車用の快速着脱傘を開示した。
【解決手段】
本願は自転車用の快速着脱傘を開示し、傘を含み、前記傘の下端には取手が固定的に設置され、前記取手の下端面には下方に開口した第一伸縮空間が設置され、前記第一伸縮空間の中には伸縮装置が設置され、本願発明は人々が傘を持ちながら自転車に乗る時に、素早く自転車ハンドルに取り付けられる又は取り外されることができ、サイクリングにおける安全問題を減らし、突発的な状況に遭うときに、片手で傘を持つことによるブレーキのかけ遅れを避け、また、既存する自転車用の傘スタンドに比べると、本装置は傘と一体化であり、異なる自転車に適用され、傘の角度と方向を調節するのが便利で簡単であり、体力も時間もかからなく、需要に応じて傘の高度も調節できる。
【選択図】図１【図１】
0006814330.tif 000002
【図２】
0006814330.tif 000003
【図３】
0006814330.tif 000004
【図４】
0006814330.tif 000005
【図５】
0006814330.tif 000006